(57)【要約】【課題】複数の情報表示器を冊子状に綴った情報表示システムにおいて、使用者にスムースな閲覧を可能にする。【解決手段】情報表示方法は、複数の情報表示器Ａ〜Ｅと、情報表示器に表示する情報を描画データ信号として送信する制御装置１２０と、を有する情報表示システムにおいて、複数の情報表示器に表示可能な情報量よりも多い情報量を有する情報を表示する方法である。制御装置において、情報表示器に表示可能な情報量よりも多い情報量を有する情報を、表示可能な情報量を超えない情報量を有する情報のグループＧ１，Ｇ２，Ｇ３に分割し、グループに含まれる情報を複数の情報表示器の各々に割り当てたテーブルをグループ毎に作成し、グループを選択する信号が入力された際に、選択されたグループのテーブルに基づいて情報表示器の各々に対応した情報の描画データ信号を送信して情報表示器に情報を表示させる。【選択図】図１４
2013003464.tif 000002
【特許請求の範囲】
【請求項１】
複数の情報表示器と、複数の前記情報表示器と接続され複数の前記情報表示器に表示する情報を描画データ信号として送信する制御装置と、を有する情報表示システムにおいて、複数の前記情報表示器に表示可能な情報量よりも多い情報量を有する情報を表示する情報表示方法であって、
前記情報表示システムは、複数の前記情報表示器を前記制御装置に冊子状に綴じることで、前記情報表示器のそれぞれが、前記制御装置から送信された前記描画データ信号が自身に送信されたものであるか否かを判定する判定回路を形成するように構成されており、
前記制御装置において、
前記情報表示器に表示可能な情報量よりも多い情報量を有する情報を、複数の前記情報表示器が表示可能な情報量を超えない情報量を有する情報のグループに分割し、
複数の前記情報表示器の各々に対して前記グループに分割した情報を割り当てたテーブルを前記グループ毎に作成し、
前記グループを選択する信号が入力された際に、前記選択されたグループのテーブルに基づいて、複数の前記情報表示器の各々に対応した情報の描画データ信号を送信してそれぞれの情報表示器に情報を表示させることを特徴とする情報表示方法。
【請求項２】
前記情報表示システムの前記判定回路は、
前記制御装置と複数の前記情報表示器との接続部分に形成された、電気的に接続される導通部分と電気的に絶縁された絶縁部分とを含んで構成され、かつ前記導通部分と前記絶縁部分との配置パターンと、前記制御装置から送信された前記描画データ信号に含まれる情報表示器の識別信号とに基づいて、当該情報表示器に表示させる描画データであるか否かを決定するように構成されていることを特徴とする請求項１に記載の情報表示方法。
【請求項３】
複数の情報表示器と、複数の前記情報表示器と接続され複数の前記情報表示器に表示する情報を描画データ信号として送信する制御装置と、を有する情報表示システムであって、
複数の前記情報表示器を前記制御装置に冊子状に綴じることで、前記情報表示器のそれぞれが、前記制御装置から送信された前記描画データ信号が自身に送信されたものであるか否かを判定する判定回路を形成するように構成されているとともに、
前記制御装置が、
前記情報表示器に表示する情報を取得する情報取得部と、
前記情報取得部によって取得した情報量が複数の前記情報表示器において表示可能な情報量よりも多いか否かを判別する判別部と、
前記情報取得部によって取得した情報を複数の前記情報表示器において表示可能な情報量を超えない情報量の情報を有するグループに分割するグルーピング部と、
複数の前記グループに分割された情報を複数の前記情報表示器の各々に割り当てるとともに、当該割り当てた情報と前記情報表示器を識別する識別番号とを紐付けたテーブルを作成するテーブル作成部と、
前記グループを選択する操作信号が入力された際に、前記操作信号に対応するテーブルを選択するテーブル選択部と、
前記選択されたテーブルに基づいて複数の前記情報表示器の各々に情報を表示する表示制御部とを有し、
前記グループを選択する信号が入力された際に、前記選択されたグループのテーブルに基づいて、複数の前記情報表示器の各々に対応した情報の描画データ信号を送信してそれぞれの情報表示器に情報を表示させることを特徴とする情報表示システム。
【請求項４】
前記判定回路が、前記制御装置と複数の前記情報表示器との接続部分に形成された、電気的に接続される導通部分と電気的に絶縁された絶縁部分とを含んで構成され、かつ前記導通部分と前記絶縁部分との配置パターンと、前記制御装置から送信された前記描画データ信号に含まれる情報表示器の識別信号とに基づいて、当該情報表示器に表示させる描画データであるか否かを決定するように構成されていることを特徴とする請求項３に記載の情報表示システム。
【発明の詳細な説明】
【技術分野】
【０００１】
本発明は、複数の表示用電極と、複数の表示用電極の間に配置され、且つ表示用電極間に印加された電圧によって駆動される表示媒体とを有する複数の情報表示器が一纏めに綴られた冊子型の情報表示システムにおける情報表示方法及び情報表示システムに関する。
【背景技術】
【０００２】
従来、少なくとも観察側となる基板が透明な２枚の基板を対向させて形成した空間に、電気的に駆動できる表示媒体を配置した情報表示パネルが情報表示器として知られている。更に、紙と同様に、複数の情報表示器を見開き可能に綴った情報表示装置が開示されている（例えば、特許文献１参照）。このような情報表示装置によれば、情報表示器を冊子のように利用することができる。
【先行技術文献】
【特許文献】
【０００３】
【特許文献１】特開２００６−１６２９０２号公報
【発明の概要】
【発明が解決しようとする課題】
【０００４】
ところが、特許文献１に記載された情報表示装置では、次のような問題点があった。すなわち、表示しようとする情報のページ数がシステムに用意された情報表示装置のページ数よりも多い場合に、全ての情報を効率よく閲覧可能にすることが考慮されていなかった。また、特許文献１に記載された情報表示装置では、次のような問題点もあった。すなわち、情報表示装置の各情報表示器を一度見開きにしなければ、本体に認識されず、綴じられている各情報表示器を閉じた状態のままで各情報表示器に表示させる情報の書き換えを行うことができなかった。
【０００５】
そこで、本発明は、このような状況に鑑みてなされたものであり、複数の情報表示器を冊子状に綴った情報表示システムにおいて、綴じられている各情報表示器を閉じた状態のままで各情報表示器に表示させる情報の書き換えを行うことができ、使用者にスムースな閲覧を可能にする情報表示方法及び情報表示システムを提供することを目的とする。
【課題を解決するための手段】
【０００６】
上述した課題を解決するため、本発明は、複数の情報表示器と、複数の前記情報表示器と接続され複数の前記情報表示器に表示する情報を描画データ信号として送信する制御装置と、を有する情報表示システムにおいて、複数の前記情報表示器に表示可能な情報量よりも多い情報量を有する情報を表示する情報表示方法であって、前記情報表示システムは、複数の前記情報表示器を前記制御装置に冊子状に綴じることで、前記情報表示器のそれぞれが、前記制御装置から送信された前記描画データ信号が自身に送信されたものであるか否かを判定する判定回路を形成するように構成されており、前記制御装置において、前記情報表示器に表示可能な情報量よりも多い情報量を有する情報を、複数の前記情報表示器が表示可能な情報量を超えない情報量を有する情報のグループに分割し、複数の前記情報表示器の各々に対して前記グループに分割した情報を割り当てたテーブルを前記グループ毎に作成し、前記グループを選択する信号が入力された際に、前記選択されたグループのテーブルに基づいて、複数の前記情報表示器の各々に対応した情報の描画データ信号を送信してそれぞれの情報表示器に情報を表示させることを要旨とする。
【０００７】
本発明によれば、前記情報表示器に表示可能な情報量よりも多い情報量を有する情報を複数の情報表示器Ａ〜Ｅにおいて表示可能な情報量を超えない情報量を有する情報のグループに分割し、複数のグループに含まれる情報を情報表示器の各々に割り当てたテーブルをグループ毎に作成し、グループを選択する操作信号が入力された際に、選択されたグループのテーブルに基づいて情報表示器の各々に情報を表示することにより、情報表示システムに表示しようとする情報量がシステムに用意された情報表示器に表示可能な情報量より多い場合であっても、全ての情報を効率よく、ユーザに閲覧可能にすることができる。
【０００８】
また、本発明に係る情報表示方法は、情報表示システムの前記判定回路が、前記制御装置と複数の前記情報表示器との接続部分に形成された、電気的に接続される導通部分と電気的に絶縁された絶縁部分とを含んで構成され、かつ前記導通部分と前記絶縁部分との配置パターンと、前記制御装置から送信された前記描画データ信号に含まれる情報表示器の識別信号とに基づいて、当該情報表示器に表示させる描画データであるか否かを決定するように構成されていることを要旨とする。
【０００９】
また、本発明は、複数の情報表示器と、複数の前記情報表示器と接続され複数の前記情報表示器に表示する情報を描画データ信号として送信する制御装置と、を有する情報表示システムであって、複数の前記情報表示器を前記制御装置に冊子状に綴じることで、前記情報表示器のそれぞれが、前記制御装置から送信された前記描画データ信号が自身に送信されたものであるか否かを判定する判定回路を形成するように構成されているとともに、前記制御装置が、前記情報表示器に表示する情報を取得する情報取得部と、前記情報取得部によって取得した情報量が複数の前記情報表示器において表示可能な情報量よりも多いか否かを判別する判別部と、前記情報取得部によって取得した情報を複数の前記情報表示器において表示可能な情報量を超えない情報量の情報を有するグループに分割するグルーピング部と、複数の前記グループに分割された情報を複数の前記情報表示器の各々に割り当てるとともに、当該割り当てた情報と前記情報表示器を識別する識別番号とを紐付けたテーブルを作成するテーブル作成部と、前記グループを選択する操作信号が入力された際に、前記操作信号に対応するテーブルを選択するテーブル選択部と、前記選択されたテーブルに基づいて複数の前記情報表示器の各々に情報を表示する表示制御部とを有し、前記グループを選択する信号が入力された際に、前記選択されたグループのテーブルに基づいて、複数の前記情報表示器の各々に対応した情報の描画データ信号を送信してそれぞれの情報表示器に情報を表示させることを要旨とする。
【００１０】
また、本発明に係る情報表示システムは、前記判定回路が、前記制御装置と複数の前記情報表示器との接続部分に形成された、電気的に接続される導通部分と電気的に絶縁された絶縁部分とを含んで構成され、かつ前記導通部分と前記絶縁部分との配置パターンと、前記制御装置から送信された前記描画データ信号に含まれる情報表示器の識別信号とに基づいて、当該情報表示器に表示させる描画データであるか否かを決定するように構成されていることを要旨とする。
【発明の効果】
【００１１】
本発明によれば、複数の情報表示器を冊子状に綴った情報表示システムにおいて、綴じられている各情報表示器を閉じた状態のままで各情報表示器に表示させる情報の書き換えを行うことができ、使用者にスムーズな閲覧を可能にする情報表示方法及び情報表示システムを提供することを目的とする。
【図面の簡単な説明】
【００１２】
【図１】図１は、本発明の実施形態に係る情報表示システムの概略構成を示す斜視図である。
【図２】図２は、本発明の実施形態に係る情報表示システムの分解斜視図である。
【図３】図３は、本発明の実施形態に係る情報表示システムの断面図である。
【図４】図４は、本発明の実施形態に係る情報表示システムの情報表示器を説明する平面図である。
【図５】図５は、図４に示す情報表示器のＡ−Ａ線における断面図である。
【図６】図６は、実施形態に係る情報表示システムの判定回路の回路構成を部分的に拡大した部６分拡大図である。
【図７】図７は、本発明の実施形態に係る情報表示システムの接続部分の断面図である。
【図８】図８は、実施形態に係る情報表示器の孔部の拡大図である。
【図９】図９は、実施形態に係る情報表示システムの判定回路構成を説明する回路図である。
【図１０】図１０は、実施形態に係る情報表示器に配置される駆動回路と、駆動回路に接続される接続線を説明する図である。
【図１１】図１１は、制御装置が複数の情報表示器のうち所定の情報表示器に情報を表示する処理を説明するフローチャートである。
【図１２】図１２は、情報処理システムの一例を説明する模式図である。
【図１３】図１３は、複数の情報表示器に情報を表示する処理を実現する制御装置の構成を示す。
【図１４】図１４は、５つの情報表示器Ａ〜Ｅを備える情報表示システムに１２ページ分の情報を表示する処理を説明するフローチャートである。
【図１５】図１５（ａ）〜（ｃ）は、方法１において作成されるテーブルＴ１，Ｔ２，Ｔ３を説明する図である。
【図１６】図１６（ａ）〜（ｃ）は、方法２において作成されるテーブルＴ１，Ｔ２，Ｔ３を説明する図である。
【図１７】図１７は、制御装置側連結機構の変形例を説明する図である。
【図１８】図１８は、制御装置側連結機構の変形例を説明する図である。
【図１９】図１９は、制御装置側連結機構の変形例を説明する図である。
【図２０】図２０は、制御装置側連結機構において電気を導通するための構造の変形例を説明する図である。
【図２１】図２１は、図２０のＤ−Ｄ線における断面図である。
【図２２】図２２（ａ）は、図２０，図２１に示す変形例に対応する孔部を説明する平面図であり、図２２（ｂ）は、孔部の変形例を説明する平面図である。
【図２３】図２３は、本実施形態に係る情報表示システムに適用可能な情報表示器の構成概要を説明する概略斜視図である。
【図２４】図２４は、情報表示システムの機能ブロック構成図である。
【図２５】図２５は、情報表示システムに適用可能な情報表示器の一例である粒子移動型の情報表示器の一部を分解して示す分解斜視図である。
【発明を実施するための形態】
【００１３】
以下、本発明の実施形態に係る情報表示器の一例及び制御装置の一例について、図面を参照しながら説明する。具体的には、（１）情報表示システムの概略構成、（２）情報表示器の概略構成、（３）識別信号受信部の構成、（４）判定回路の回路構成、（５）情報表示器に情報を表示する処理、（６）複数の情報表示器に情報を表示する処理、（７）作用・効果、（８）連結機構の変形例、（９）連結機構の導通構造の変形例、（１０）情報表示器の概略構成、（１１）その他実施形態について説明する。
【００１４】
以下の図面の記載において、同一または類似の部分には、同一又は類似の符号を付している。図面は模式的なのものであり、各寸法の比率などは現実のものとは異なることを留意すべきである。具体的な寸法などは、以下の説明を参酌して判断すべきものである。図面相互間においても互いの寸法の関係や比率が異なる部分が含まれていることは勿論である。
【００１５】
（１）情報表示システムの概略構成
図１は、情報表示システム１００の概略構成を示す斜視図である。図２は、情報表示システム１００の分解斜視図である。図３は、情報表示システム１００の断面図である。情報表示システム１００は、複数の情報表示器１１０と、複数の情報表示器１１０に対する情報の表示を制御する制御装置１２０とを備える。実施形態では、制御装置１２０は、外装体Ｃを構成している。制御装置１２０は、ＣＰＵ２０、グラフィックコントローラ３０、メモリなどを備えており、情報表示器１１０への情報の表示を制御する。
【００１６】
実施形態に係る情報表示システム１００では、制御装置１２０には、外装体Ｃから突出した複数の突出部１２１が形成されており、複数の情報表示器１１０には孔部１１０ｈが形成されている。孔部１１０ｈに突出部１２１が貫通されることにより、情報表示器１１０が制御装置１２０に取り付けられる。複数の情報表示器１１０は、制御装置１２０に冊子状に綴られている。また、制御装置１２０には、パーソナルコンピュータ（ＰＣ）、その他の電子機器、記憶装置などと接続可能な接続端子が設けられていてもよい（不図示）。
【００１７】
さらにまた、情報表示を実行する時に必要な電源供給は、外装体Ｃにシート電池やコイン型電池などの電源を搭載して制御装置１２０と接続させたり、外装体Ｃに設けた制御装置１２０と接続した接続端子に外部電源を接続させたりして行うことができる。
【００１８】
図１には、冊子状に綴じられた情報表示器の外装体Ｃに制御装置１２０を設けた構成を示したが、制御装置１２０を、冊子状に綴じられた情報表示器とは別体として、外装体Ｃに設けられた接続端子に接続して情報表示を実行する構成の情報表示システムとしてもよい。
【００１９】
実施形態では、突出部１２１は、情報表示器１１０が積層して載置される外装体Ｃの載置部Ｃａから突出し、一方向に並列して形成されている。突出部１２１のうちのいくつかは、導電性の部材を備えて形成されており、ＣＰＵ２０などの電子デバイスと電気的に接続されている。また、孔部１１０ｈは、情報表示器１１０の一辺に並列して所定数形成されており、孔部１１０ｈのうちのいくつかは、導電性の部材を備えて形成されており、導電性を備えた突出部１２１と電気的に接続可能に構成されている。突出部１２１と孔部１１０ｈとは互いに係合可能に構成されている。
【００２０】
実施形態では、突出部１２１と孔部１１０ｈとは、互いに係合することによって、情報表示器１１０と制御装置１２０とを機械的に連結するとともに、情報表示器１１０と制御装置１２０とを電気的に接続する。制御装置１２０は、複数の情報表示器１１０を一纏めに綴るとともに、情報表示器１１０と電気的に接続されている。すなわち、導電性の部材を備えた突出部１２１と導電性の部材を備えた孔部１１０ｈとは、情報表示器１１０と制御装置１２０との物理的、機械的に連結する部分であって、かつ電気的に接続する部分である。導電性の部材を備えない突出部１２１と導電性の部材を備えない孔部１１０ｈとは、情報表示器１１０と制御装置１２０とを専ら、物理的、機械的に連結する部分となる。実施形態において、突出部１２１は、制御装置側連結機構を構成し、孔部１１０ｈは、情報表示器側連結機構を構成する。突出部１２１および孔部１１０ｈのいくつかを、専ら物理的、機械的係合構造を形成する構造部材として、電気的接続とは無関係に形成することができる。
【００２１】
図１に示す情報表示システム１００は、少なくとも表面が絶縁性の材料で形成された留め具１３０を備える。突出部１２１に孔部１１０ｈが挿通されることによって積層された情報表示器１１０は、絶縁性の留め具１３０によって、導電部分が形成された突出部１２１同士がリークしない状態で固定されている。
【００２２】
（２）情報表示器の概略構成
図４は、情報表示器１１０を説明する平面図である。実施形態において、情報表示器１１０は、矩形状の薄いパネル型であって、電子ペーパーなどとして用いることができる。ここで言う矩形状は、ノート用紙などで一般的に知られている形状であり、角部が丸くカットされていたり、角部が少し直線的にカットされていたりすることを含む。情報表示器１１０には、情報が表示される情報表示領域１１０ａが形成されている。
【００２３】
図５は、図４に示す情報表示器１１０のＡ−Ａ線における断面図である。情報表示器１１０は、一対の基板（観察側基板１８１，背面側基板１８２）を備える。観察側基板１８１は、透明である。情報表示領域１１０ａは、観察側基板１８１に形成される。観察側基板１８１には、観察側電極（図４、図５には不図示）が形成されている。また、背面側基板１８２には、背面側電極１９２が形成されている。一対の表示用電極（観察側電極、背面側電極）が形成された一対の基板間には、所定の間隔（ギャップ）が形成されており、観察側電極と背面側電極との間には、表示媒体層１１５が配置されている。
【００２４】
図２では、各情報表示器の向きを揃えて、すなわち、各情報表示器の表示画面を上にして重ねている様子を示しているが、２枚の情報表示器の背面側を貼り合せ、表裏の両面に表示画面を備えた情報表示器としてもよい。
【００２５】
表示媒体層１１５は、帯電性粒子を含んだ粒子群が表示媒体として配置されている気体層（真空層を含む）または液体層であったり、コレステリック液晶層であったりする。いずれも表示メモリ性を備え、無給電状態でも表示させた情報（画像）を保持できる。実施形態（図２５参照）では、表示媒体は、帯電特性及び光学的反射率を有する少なくとも２種類の粒子群であり、例えば、負帯電性白色粒子又は正帯電性黒色粒子とされている。これらの帯電性粒子は、基板間に印加された電圧で形成された電界によって観察側電極に（または背面側電極）に向けて気体中（真空中を含む）または液体中を移動する。実施形態（図４参照）では、背面側基板１８２は、情報表示領域１１０ａよりも広く形成されており、情報表示器１１０の骨格をなす。背面側基板１８２には、電極１１７を介して、駆動回路２００が配置されている。電極１１７及び駆動回路２００は、絶縁膜１１８によって被覆されている。実施形態で適用可能な情報表示器１１０の一例については、後述する。
【００２６】
情報表示器１１０は、平面において、情報表示領域１１０ａの外側に複数の駆動回路２００ａ〜２００ｅを備える。駆動回路２００ａ〜２００ｅは、ドライバＩＣとも呼ばれるものであり、このドライバＩＣはＯＵＴＰＵＴ（パネルへの信号出力）を無効にする機能を備えており、後述する観察側電極と背面側電極との間に印加する電圧を制御することによって、情報表示領域１１０ａに所望の情報を表示させる。情報表示領域１１０ａの外側の孔部１１０ｈのいくつかの箇所には、情報表示器１１０のページ番号と対応させるように切欠部（絶縁部分）３００が形成されている。従って、情報表示システムが備える複数の情報表示器においてこの切欠部（絶縁部分）が設けられた孔部１１０ｈの配置位置および配置個数によるパターンはそれぞれ異なる。制御装置側に備えるＣＰＵ２０から複数の情報表示器がそれぞれに備える駆動回路に対して制御信号が送信される。制御信号は、後述する判定回路に送信される識別信号と、情報表示器１１０に表示する描画データを含む描画データ信号とを含む。
【００２７】
本実施形態では、制御装置の複数の突出部１２１は、識別信号送信部１２３ｂ、１２３ｄ、１２３ｆ、１２３ｈ、１２３ｊ、１２３ｌと、導通接続部１２４ａ、１２４ｃ、１２４ｅ、１２４ｇ、１２４ｉ、１２４ｋと、係合部１２３Ｘと、を有する。識別信号送信部１２３ｂ、１２３ｄ、１２３ｆ、１２３ｈ、１２３ｊ、１２３ｌは、ＣＰＵ２０からの制御信号に含まれる識別信号をすべての情報表示器１１０に対して送信する。各情報表示器１１０は、送信された識別信号について判定回路３１０によって、自身が表示する制御信号（描画データ信号）であるか、そうでない制御信号（描画データ信号）であるかを判定する。この判定方法については、図９等を用いて詳細に後述する。
【００２８】
導通接続部１２４ａ、１２４ｃ、１２４ｅ、１２４ｇ、１２４ｉ、１２４ｋは、情報表示器１１０の後述する導通接続部と電気的に接続される。係合部１２３Ｘは、情報表示器１１０の孔部１１０ｈに挿入されて、複数の情報表示器１１０を束ねる機能を有する。なお、本実施の形態では、複数の突出部１２１のうち、両端の突出部１２１を係合部１２３Ｘとして構成しているが、係合部１２３Ｘは、別の突出部１２１によって構成してもよいし、１個であってもよいし、３個以上であってもよい。また、突出部１２１は、係合部１２３Ｘを備えていなくてもよい。
【００２９】
本実施形態では、情報表示器１１０の複数の孔部１１０ｈは、導電性の部材を備えて導通部分を構成する孔部と、導電性の部材を備えずに導通部分を構成しない孔部とを有する。導通部分を構成する孔部は、突出部１２１の識別信号送信部１２３ｂ、１２３ｄ、１２３ｆ、１２３ｈ、１２３ｊ、１２３ｌに対応して識別信号を受信する識別信号受信部１１３１ｂ、１１３１ｄ、１１３１ｆ、１１３１ｈ、１１３１ｊ、１１３１ｌと、制御装置の導通接続部１２４ａ、１２４ｃ、１２４ｅ、１２４ｇ、１２４ｉ、１２４ｋと電気的に接続される導通接続部１１３１ａ、１１３１ｃ、１１３１ｅ、１１３１ｇ、１１３１ｉ、１１３１ｋとを有する。導通部分を構成しない孔部は、制御装置の係合部１２３Ｘが挿入され、制御装置と情報表示器１１０とを物理的、機械的に接続するための係合孔部１１３１Ｘである。
【００３０】
係合孔部１１３１Ｘは、機械的係合にのみ用いる孔部であり、導電性の部材を備えていない孔部とすることができるが、もちろん、導電性の部材を備えた孔部とすることもできる。係合部１２３Ｘは機械的係合にのみ用いる突出部であり、導電性の部材を備えていない突出部とすることができるが、もちろん、導電性の部材を備えた突出部とすることもできる。なお、本実施の形態では、複数の孔部１１０ｈのうち係合部に対応する両端の孔部を係合孔部１１３１Ｘとして構成しているが、係合孔部１１３１Ｘは、導電性の部材を備える別の孔部よって構成してもよいし、導電性の部材を備えない孔部によって構成してもよいし、１個であってもよいし、３個以上であってもよい。また、情報表示器１１０は、係合孔部１１３１Ｘを備えていなくてもよい。
【００３１】
図６は、情報表示器１１０の識別信号受信部１１３１ｂ、１１３１ｄ、１１３１ｆ、１１３１ｈ、１１３１ｊ、１１３１ｌと、識別信号受信部以外の導通部分である導通接続部１１３１ａ、１１３１ｃ（不図示、絶縁部分１１３２（切欠部３００）として図示）、１１３１ｅ、１１３１ｇ、１１３１ｉ、１１３１ｋおよび情報表示器が備える判定回路の構成を示した部分拡大図である。図７（ａ）は、識別信号送信部１２３ｈ及び識別信号受信部１１３１ｈを通る断面における情報表示器の部分断面図であり、図７（ｂ）は、導通接続部１２４ｃ及び絶縁部分１１３２（切欠部３００）を通る断面における情報表示器の部分断面図である。
【００３２】
情報表示器１１０において、識別信号受信部１１３１ｂ、１１３１ｄ、１１３１ｆ、１１３１ｈ、１１３１ｊ、１１３１ｌ（図中、●印の部分）以外の導通接続部１１３１ａ、１１３１ｃ、１１３１ｅ、１１３１ｇ、１１３１ｉ、１１３１ｋ（図中、○印の部分）において絶縁部分が形成される。ここでは、別の情報表示器においては導通部分となる１１３１ｃの部分に、切欠部３００として絶縁部分１１３２が形成されている。識別信号受信部１１３１ｂ、１１３１ｄ、１１３１ｆ、１１３１ｈ、１１３１ｊ、１１３１ｌ及び導通接続部１１３１ａ、１１３１ｃ、１１３１ｅ、１１３１ｇ、１１３１ｉ、１１３１ｋは、互いに隣接配置されて判定回路を構成している。
【００３３】
この判定回路を構成している識別信号受信部以外の導通部分において、絶縁部分として例えば設ける切欠部３００の配置位置および配置個数で決まる絶縁部分と導通部分との配置パターンは、情報表示器ごとに異なる。導電性の部材を備えた突出部１２１のうち導通接続部１２４ｃは、切欠部３００において、情報表示器１１０と電気的に接続されない。すなわち、切欠部３００は絶縁部分１１３２を構成する。
【００３４】
（３）識別信号受信部の構成
情報表示器１１０の判定回路を構成する導通部分は、識別信号受信部１１３１ｂ、１１３１ｄ、１１３１ｆ、１１３１ｈ、１１３１ｊ、１１３１ｌと、導通接続部１１３１ａ、１１３１ｃ、１１３１ｅ、１１３１ｇ、１１３１ｉ、１１３１ｋとで構成される。導通接続部１１３１ａ、１１３１ｃ、１１３１ｅ、１１３１ｇ、１１３１ｉ、１１３１ｋには、絶縁部分１１３２（例えば切欠部３００）が少なくとも一つ設けられる。識別信号受信部１１３１ｂ、１１３１ｄ、１１３１ｆ、１１３１ｈ、１１３１ｊ、１１３１ｌは、識別信号を送信する制御装置１２０の識別信号送信部１２３ｂ、１２３ｄ、１２３ｆ、１２３ｈ、１２３ｊ、１２３ｌと電気的に接続される。導通接続部１１３１ａ、１１３１ｃ、１１３１ｅ、１１３１ｇ、１１３１ｉ、１１３１ｋは、制御装置１２０の導通接続部１２４ａ、１２４ｃ、１２４ｅ、１２４ｇ、１２４ｉ、１２４ｋと電気的に接続されるが、この情報表示器１１０において導電部分１１３１ｃは、絶縁部分１１３２とされるので、制御装置１２０の導電接続部１２４ｃと電気的に絶縁される。
【００３５】
図６の絶縁部分１１３２は切欠部として示しているが、切り欠きではなく孔部とすることもできる。絶縁部分１１３２が切り欠きではなく孔部として形成される孔部１１０ｈにおいては導電性部材を少なくとも孔の内側に露出させない。そしてその孔径は、対応する位置にある制御装置側の導電性の部材を備えた突出部である導通接続部１２４ｃの直径よりも大きい。
【００３６】
絶縁部分１１３２を孔部として形成する場合、孔の孔径は、導通接続部１１３１ａ、１１３１ｂ、１１３１ｄ、１１３１ｅ、１１３１ｆ、１１３１ｇ、１１３１ｈ、１１３１ｉ、１１３１ｊ、１１３１ｋ、１１３１ｌが形成された孔の孔径よりも大きくする。実施形態では、絶縁部分１１３２は、孔を円形ではなく孔の面積よりも大きな面積の矩形に切り欠いた切欠部３００としている。導通接続部１１３１ｃとなる孔部１１０ｈにおいて孔径を大きくして形成した孔部１１０ｈは、導通接続部１２４ｃに接触しないので電気的に絶縁される絶縁部分１１３２となる。
【００３７】
なお、図６では切欠部３００を設けて絶縁部分１１３２を形成している例を示しているが、図６において、導通接続部１１３１ａ、１１３１ｃ、１１３１ｅ、１１３１ｇ、１１３１ｉ、１１３１ｋから論理回路側に延びる配線を断線させて絶縁部分１１３２を形成してもよい。この場合には、絶縁部分１１３２とする孔部１１０ｈも他の導通接続部１１３１ａ、１１３１ｃ、１１３１ｅ、１１３１ｇ、１１３１ｉ、１１３１ｋとする孔部１１０ｈと同様に設けておくことができる。
【００３８】
図８は、情報表示器１１０の平面視において導電性の部材を備えた孔部１１０ｈ（導通接続部１１３１ａが形成された孔部）を拡大した拡大図である。情報表示器１１０の背面側（ここでは背面側基板１８２）に形成された孔部１１０ｈは、貫通されている。図８に示すように、電極１１７は、露出部１１７ａを有する。露出部１１７ａは、孔部１１０ｈの中心に向けて突出し、露出している。露出部１１７ａは、導電性の部材を備えた突出部（図２では１２１）と接触することにより、情報表示器１１０と制御装置１２０とが電気的に導通可能になる。図５に示す例では、孔部１１０ｈを情報表示器の背面側基板に設けているが、孔部１１０ｈは、情報表示器の一辺に実装されたテープキャリアパッケージ（ＴＣＰ）やフレキシブル回路基板（ＦＰＣ）に設けることもできる。
【００３９】
（４）判定回路の回路構成
図９は、実施形態に係る情報表示器１１０の識別信号受信部１１３に設けられる判定回路の回路構成を説明する回路図である。図９には、識別信号を含む制御信号を送信するＣＰＵ２０及び、切欠部３００として示した絶縁部分１１３２、制御装置１２０側および情報表示器１１０側の導通部分の近傍の一部が示されている。図１０は、実施形態に係る情報表示器１１０に配置される駆動回路２００ａ〜２００ｅと、駆動回路２００ａ〜２００ｅに接続される接続線を説明する図である。
【００４０】
識別信号受信部１１３１ｂ、１１３１ｄ、１１３１ｆ、１１３１ｈ、１１３１ｊ、１１３１ｌは、制御装置１２０の導電性の部材を備えた突出部１２１のうち識別信号送信部１２３ｂ、１２３ｄ、１２３ｆ、１２３ｈ、１２３ｊ、１２３ｌと電気的に接続される。識別信号受信部以外の導通接続部１１３１ａ、１１３１ｃ（図９では切欠部３００として図示）、１１３１ｅ、１１３１ｇ、１１３１ｉ、１１３１ｋは、制御装置１２０の導通接続部１２４ａ、１２４ｃ、１２４ｅ、１２４ｇ、１２４ｉ、１２４ｋと電気的に接続される。この導通接続部１１３１ａ、１１３１ｃ、１１３１ｅ、１１３１ｇ、１１３１ｈ、１１３１ｋの少なくとも一つに、制御装置１２０側と電気的に接続されない絶縁部分１１３２（例えば切欠部３００）を設ける。
【００４１】
図９に示す情報表示器１１０と制御装置１２０とを接続した情報表示システムでは、図示している情報表示機１１０の他の情報表示器において導通接続部１１３１ｃとなる部分に絶縁部分１１３２を切欠部３００として形成することによって、１個の絶縁部分と５個の導通接続部との配置パターンを構成して、当該情報表示器の識別情報としている。図９に示すような識別信号受信部以外の導通接続部を６個、判定回路に設けた構成の情報表示システムにおいては、１個から６個まで絶縁部分を設けることができ、〔２６−１〕通りの配置パターンを得ることができる。
【００４２】
なお、絶縁部分は、１つの情報表示器１１０において、１個設けてもよいし、複数個設けてもよい。また、情報表示システムが備える複数の情報表示器のうち１つの情報表示器は、絶縁部分が設けられていなくもよい。すなわち、複数の情報表示器が制御装置に接続された情報表示システムにおいて、絶縁部分の配置パターンが互いに異なるように構成されていればよい。
【００４３】
なお、識別信号受信部１１３１ｂ、１１３１ｄ、１１３１ｆ、１１３１ｈ、１１３１ｊ、１１３１ｌ、導通接続部１１３１ａ、１１３１ｅ、１１３１ｇ、１１３１i、１１３１ｋ、及び絶縁部分１１３２は、例えば図９に示すように形成されて、ＸＮＯＲ回路３１１、ＮＡＮＤ回路３１２を論理回路として備えた判定回路３１０を構成して、識別信号受信部１１３１ｂ、１１３１ｄ、１１３１ｆ、１１３１ｈ、１１３１ｊ、１１３１ｌを介して受信した識別信号と、当該情報表示器における絶縁部分（導通接続部に形成される絶縁部分）と導通部分（導通接続部に形成される導通部分）との配置パターンで決められた識別情報とを比較して一致するか一致しないかを判定し、判定結果に応じて当該情報表示器が備える駆動回路２００ａ〜２００ｅのアウトプットイネーブル（ＯＵＴＰＵＴ−ＥＮＡＢＬＥ）を有効にしたり無効にしたりできるように駆動回路２００ａ〜２００ｅと電気的に接続されるように構成されている。
【００４４】
判定回路３１０の出力線は分岐されており、駆動回路２００ａ〜２００ｅの各々に接続されている。ここでは、駆動回路２００ａ〜２００ｅのアウトプットイネーブル用ライン３２０ａ〜３２０ｅに接続している。
【００４５】
図９に示す例とは異なる回路配線にして、駆動回路２００ａ〜２００ｅのチップセレクト用ライン３２０ａ〜３２０ｅに接続するような構成にすることもでき、判定回路を構成する回路配線は、図９に示す例に限定されるものではない。
【００４６】
判定回路には、当該情報表示器を特定するための識別情報が必要である。上述の図９に示した実施形態では、判定回路内に形成した絶縁部分１１３２（切欠部３００）の個数と位置とで決められる配置パターンが上記識別情報として形成されているが、識別情報はこれに限られず、当該情報表示器を特定する情報、例えばページ番号を記憶させたＩＣチップ（メモリ）を設けて、制御装置から描画データとともに送信された識別信号と、メモリに記憶させてあるページ番号情報とを比較して、一致か不一致かを判定するような構成にすることもできる。
【００４７】
図９に示したように、絶縁部分１１３２（例えば、切欠部３００）を備えた情報表示器の方が、ＩＣチップメモリを備えた情報表示器よりも回路構成が簡単であるとともに、高価なＩＣチップを要しないことで安価にできるという利点がある。
【００４８】
（５）情報表示器に情報を表示する処理
次いで、図１１に基づいて、判定回路の具体的な判定態様、及び制御装置１２０が複数の情報表示器１１０に情報を表示する処理について説明する。図１１は、制御装置１２０が複数の情報表示器１１０に情報を表示する処理を説明するフローチャートである。以下に示す具体例では、１つの制御装置に６４枚の情報表示器１１０が綴じられており、２頁目にあたる＃２情報表示器に２ページ目のデータを表示する。よって、制御装置のＣＰＵ２０から２ページ目に表示すべき描画データ信号であることを識別するための識別信号を含んだ制御信号（描画データ信号）を送信し、２ページ目に描画データ信号に基づく画像を表示させる。
【００４９】
ステップ１において、制御装置１２０は、制御信号を情報表示器１１０に対して送信する。具体的には、描画データ信号送信部１２２を介して、情報表示領域１１０ａに所望の情報を表示させるための描画データ信号を情報表示器１１０に対して送信し、識別信号送信部１２３ｂ、１２３ｄ、１２３ｆ、１２３ｈ、１２３ｊ、１２３ｌを介して、判定回路において情報表示器１１０を識別するための識別信号を情報表示器１１０に対して送信する。
【００５０】
描画データ信号送信部１２２からの描画データ信号は、情報表示器１１０の描画データ信号受信部１１２０によって受信し、駆動回路２００ａ〜２００ｅに入力される。なお、識別信号および描画データ信号は、全ての情報表示器１１０に対して送信される。
【００５１】
ステップ２１において、＃２情報表示器は、識別信号受信部１１３１ｂ、１１３１ｄ、１１３１ｆ、１１３１ｈ、１１３１ｊ、１１３１ｌで受信した識別信号と、絶縁部分１１３２（切欠部３００）と導通接続部１１３１ａ、１１３１ｅ、１１３１ｇ、１１３１ｈ、１１３１ｋとの配置パターンとで決まる識別情報と、を比較して一致しているか一致していないかを判定する。
【００５２】
具体的には、制御装置１２０の識別信号送信部１２３ｂ、１２３ｄ、１２３ｆ、１２３ｈ、１２３ｊ、１２３ｌから情報表示器１１０側の判定回路に、２ページ目に表示すべき識別信号（例えば、「０１００００」）が６４枚全ての情報表示器１１０に対して送信される。＃２情報表示器は、識別信号受信部１１３１ｂ、１１３１ｆ、１１３１ｈ、１１３１ｊ、１１３１ｌの出力が「０」となる。一方、識別信号受信部１１３１ｄの出力が「１」となる。また、導通接続部１１３１ａ、１１３１ｅ、１１３１ｇ、１１３１ｉ、１１３１ｋの出力は、導通接続部１２４ａ、１２４ｅ、１２４ｇ、１２４ｉ、１２４ｋを介して接地されて、「０」となる。一方、切欠部３００が形成された部分は、接地されないため「１」が出力される。よって、＃２情報表示器１１０では、判定回路３１０のＸＮＯＲ回路３１１の出力側の真理値は、「１１１１１１」となる。全てのＸＮＯＲ回路３１１の出力が「１」となり、ＮＡＮＤ回路３１２の出力は「０」となる。すなわち、＃２情報表示器においては、＃２情報表示器の識別情報と受信した識別信号とが一致する（ステップ２１：ＹＥＳ）。
【００５３】
よって、スイッチ３５０がオフ（ＯＦＦ）となって（ステップ３１）、駆動回路２００ａ〜２００ｅのアウトプットイネーブル（ＯＵＴＰＵＴ−ＥＮＡＢＬＥ）が有効となり（ステップ４１）、ＣＰＵからの出力信号を受信した際に、駆動回路２００ａ〜２００ｅから情報表示器の情報表示領域１１０ａへ描画データが出力される（ステップ５１）。よって、＃２情報表示器の書き換えが実行される（ステップ６１）。
【００５４】
一方、他のページ、例えば、１ページ目にあたる＃１情報表示器は、導通接続部１１３１ａに対応する部分に切り欠きが形成されている。ステップ１において、制御装置１２０が、＃１情報表示器に対して制御信号（２ページ目に表示する描画データと２ページ目を識別するための識別信号）を送信すると、＃１情報表示器は、識別信号受信部１１３１ｂ、１１３１ｄ、１１３１ｆ、１１３１ｈ、１１３１ｊ、１１３１ｌで受信した識別信号と、絶縁部分１１３２（切欠部３００）と導通接続部１１３１ａ、１１３１ｅ、１１３１ｇ、１１３１ｈ、１１３１ｋとの配置パターンとで決まる識別情報と、を比較して一致しているか一致していないかを判定する。
【００５５】
具体的には、制御装置１２０の識別信号送信部１２３ｂ、１２３ｄ、１２３ｆ、１２３ｈ、１２３ｊ、１２３ｌから＃１情報表示器１１０側の判定回路に、２ページ目に表示すべき描画データであることを識別するための識別信号（例えば、「０１００００」）が送信される。
【００５６】
識別信号受信部１１３１ｂ、１１３１ｆ、１１３１ｈ、１１３１ｊ、１１３１ｌの出力は、「０」となる。一方、識別信号受信部１１３１ｄの出力は、「１」となる。また、導通接続部１１３１ｃ、１１３１ｅ、１１３１ｇ、１１３１ｉ、１１３１ｋの出力は、導通接続部１２４ｃ、１２４ｅ、１２４ｇ、１２４ｉ、１２４ｋを介して接地されて、「０」となる。一方、切欠部３００が形成された部分は、接地されないため「１」が出力される。よって、＃１情報表示器１１０では、判定回路３１０のＸＮＯＲ回路３１１の出力側の真理値は、「００１１１１」となる。全てのＸＮＯＲ回路３１１の出力が「１」とならないため、ＮＡＮＤ回路３１２の出力は「１」となる。すなわち、＃１情報表示器においては、＃１情報表示器の識別情報と受信した識別信号とが一致しない（ステップ２１：ＮＯ）。
【００５７】
よって、スイッチ３５０がオン（ＯＮ）となって（ステップ３２）、駆動回路２００ａ〜２００ｅのアウトプットイネーブル（ＯＵＴＰＵＴ−ＥＮＡＢＬＥ）が無効となり（ステップ４２）、ＣＰＵからの出力信号を受信しても、駆動回路２００ａ〜２００ｅから情報表示器の情報表示領域１１０ａへ描画データが出力されない(ステップ５２)。よって、＃１情報表示器（＃２情報表示器以外の他の情報表示器も同様）の書き換えが実行されない（ステップ６２）。
【００５８】
なお、ここでは、１ページ目にあたる＃１情報表示器を例に挙げて説明しているが、３ページ目にあたる＃３情報表示器、４ページ目にあたる＃４情報表示器、５ページ目にあたる＃５情報表示器のほか６４ページ目にあたる＃６４情報表示器までの他の情報表示器については、＃１情報表示器１１０同様に、入力された識別信号と切欠部３００の配置パターンが一致せず、書き換えが実行されない。
【００５９】
このように、情報表示システム１００では、識別信号受信部１１３１ｂ、１１３１ｄ、１１３１ｆ、１１３１ｈ、１１３１ｊ、１１３１ｌで受信した識別信号と、絶縁部分１１３２（切欠部３００）と導通接続部１１３１ａ、１１３１ｅ、１１３１ｇ、１１３１ｈ、１１３１ｋとの配置パターンで決まる識別情報とを比較して一致しているか一致していないかを判定する判定回路３１０を備えており、識別信号と識別情報とが一致した情報表示器１１０の情報表示領域１１０ａに、駆動回路２００ａ〜２００ｅから描画データが出力される。これにより、制御装置１２０から送信された識別信号に一致した情報表示器１１０にだけ、この識別信号を含んだ制御信号に基づいた所定の描画データに基づいた情報（表示させたい情報）が表示される。
【００６０】
また、上記本発明の実施形態で示した判定回路の構成は一例である。上記実施形態では絶縁部分（切欠部）と、ＣＰＵの各端子からの入力をＸＮＯＲ論理回路で比較しているが、例えば、ＣＰＵ端子からの入力を一度シフトレジスタで受ける方法等も考えられる。このように、絶縁部分（切欠部）の配置パターンとして与えられる情報と、制御装置から送信される識別信号による情報を比較して、一致しているか一致していないかを検出して判定する回路は、本発明の実施形態に記載した論理回路（ＸＮＯＲ、ＮＡＮＤ）に限定されるものではなく、他の論理回路やメモリ回路など一般的に用いられる電子回路とすることもできる。絶縁部分（切欠部）の配置パターンと、電子回路とを組み合せて判定回路を構成した情報表示器を用いて本発明の情報表示システムを構成している点に特徴がある。
【００６１】
（６）複数の情報表示器に情報を表示する処理
続いて、複数の情報表示器に表示可能な情報量よりも多い情報量を有する情報を表示するときの情報表示処理について図１２〜図１６を用いて説明する。
【００６２】
一例として、図１２に示すように、５つの情報表示器が綴られた冊子になっている情報表示システムの場合について説明する。情報表示システムには、Ａ，Ｂ，Ｃ，Ｄ，Ｅで示す５つの情報表示器が用意されており、５ページ分の情報が表示できるようになっている。
【００６３】
図１３は、複数の情報表示器に情報を表示する処理を実現する制御装置１２０の機能構成を示す。実施形態に係る制御装置１２０は、情報取得部２１１と、ページ数判別部２１２と、グルーピング部２１３と、テーブル作成部２１４と、テーブル選択部２１５と、表示制御部２１６と、記憶部２２０とを有する。
【００６４】
情報取得部２１１は、情報表示器Ａ〜Ｅに表示する情報を取得する。情報を取得する方法としては、データ転送ケーブル（ＵＳＢ、ＬＡＮ）や外部メモリ（ＳＤ、ＵＳＢメモリなど）を用いて、情報取得部２１１のデータ入力部から取得する。取得した情報のデータは、ページ数判別部２１２、グルーピング部２１３、テーブル作成部２１４、テーブル選択部２１５、表示制御部２１６を含むデータ処理部へ送られる。情報取得部２２０にも記憶部を形成し、取得した情報を一旦記憶し、この記憶部から読み出した情報を、データ処理部に送るようにしてもよい。情報（データ）はファイル転送などの方法で送られる。ページ数判別部２１２は、情報表示器Ａ〜Ｅに表示する情報の全ページ数が５ページ以上あるか判別する。グルーピング部２１３は、取得した情報を、情報表示器Ａ〜Ｅで表示可能な情報量を超えない情報量を有する情報のグループＧに分割する。テーブル作成部２１４は、グループＧ１，Ｇ２，Ｇ３に含まれる情報を情報表示器Ａ，Ｂ，Ｃ，Ｄ，Ｅの各々に割り当てるとともに、割当て結果と情報表示器Ａ〜Ｅを識別する識別番号とを紐付けたテーブルをグループ毎に作成し、記憶部２２０に記憶する。
【００６５】
テーブル選択部２１５は、ユーザからの操作に基づく操作信号に対応するテーブルを選択する。表示制御部２１６は、選択されたテーブルに基づいて、情報表示器Ａ，Ｂ，Ｃ，Ｄ，Ｅに所定の情報を表示するように各情報表示器を制御する。すなわち、データを読み出すときには、記憶部２２０にアクセスし、情報表示器Ａ，Ｂ，Ｃ，Ｄ，Ｅのページに対応するデータを記憶部２２０から読み出し、情報表示器Ａ，Ｂ，Ｃ，Ｄ，Ｅのそれぞれに所定の情報を表示する。このとき、情報表示器Ａ，Ｂ，Ｃ，Ｄ，Ｅのそれぞれに送られる制御信号は、ページを識別するための識別信号を含んでおり、情報表示器Ａ，Ｂ，Ｃ，Ｄ，Ｅのそれぞれが制御装置に接続された構成で形成される判定回路における判定に基づいて、情報表示器Ａ，Ｂ，Ｃ，Ｄ，Ｅのそれぞれに所定の情報を表示することができる。
【００６６】
上述したように、５つの情報表示器Ａ〜Ｅを備える情報表示システムに１２ページ分の情報を表示する場合について説明する。この場合の実施形態として、以下の２通りの方法が挙げられる。いずれの方法においても、各ページに割り当てられた１ページ分の情報を、各ページに対応する情報表示器毎に表示させ、５つの情報表示器Ａ〜Ｅに１２ページ分の情報のうち５ページ分の情報を、情報表示器毎に、言い換えれば、各ページ毎に順次表示させる。
【００６７】
（６−１）方法１
図１４を用いて、方法１について説明する。方法１は、全ページを入れ替える方法である。
【００６８】
ステップＳ１１において、制御装置１２０は、情報表示器に表示する情報を取得する。ステップＳ１２において、制御装置１２０は、表示すべき情報の全ページ数が５ページ以上あるか判別する。
【００６９】
５ページ以上の場合（ステップＳ１２；ＹＥＳ）には、制御装置１２０は、取得した情報を、ステップＳ１３において情報表示器で表示可能な情報量を超えない情報量の情報のグループに分割する。すなわち、第１ページから第５ページをグループＧ１に設定し、第６ページから第１０ページをグループＧ２に設定し、第１１ページと第１２ページとをグループＧ３に設定する。
【００７０】
ステップＳ１４において、グループＧ１，Ｇ２，Ｇ３に含まれる情報を情報表示器Ａ，Ｂ，Ｃ，Ｄ，Ｅの各々に割り当てたテーブルをグループ毎に作成する。制御装置１２０は、情報表示器Ａに第１ページを割当て、情報表示器Ｂに第２ページを割当て、情報表示器Ｃに第３ページを割当て、情報表示器Ｄに第４ページを割当て、情報表示器Ｅに第５ページを割当てる。
【００７１】
図１５（ａ）〜（ｃ）は、方法１において作成されるテーブルＴ１，Ｔ２，Ｔ３を説明する図である。具体的には、情報表示器Ａの識別番号（Ｋ１_１００００）と、第１ページに関するデータＤ１とを紐付ける。情報表示器Ｂの識別番号（Ｋ２_０１０００）と、第２ページに関するデータＤ２とを紐付ける。情報表示器Ｃの識別番号（Ｋ３_００１００）と、第３ページに関するデータＤ３とを紐付ける。情報表示器Ｄの識別番号（Ｋ４_０００１０）と、第４ページに関するデータＤ４とを紐付ける。情報表示器Ｅの識別番号（Ｋ５_００００１）と、第５ページに関するデータＤ５とを紐付ける。制御装置１２０は、これらグループＧ１に関する紐付けデータを１つのテーブルＴ１として記憶部２２０に記憶する。
【００７２】
グループＧ２、Ｇ３についても同様にして、テーブルＴ２，Ｔ３を作成する。すなわち、情報表示器Ａの識別番号（Ｋ１_１００００）と、第６ページに関するデータＤ６とを紐付ける。情報表示器Ｂの識別番号（Ｋ２_０１０００）と、第７ページに関するデータＤ７とを紐付ける。情報表示器Ｃの識別番号（Ｋ３_００１００）と、第８ページに関するデータＤ８とを紐付ける。情報表示器Ｄの識別番号（Ｋ４_０００１０）と、第９ページに関するデータＤ９とを紐付ける。情報表示器Ｅの識別番号（Ｋ５_００００１）と、第１０ページに関するデータＤ１０とを紐付ける。
【００７３】
また、情報表示器Ａの識別番号（Ｋ１_１００００）と、第１１ページに関するデータＤ１１とを紐付ける。情報表示器Ｂの識別番号（Ｋ２_０１０００）と、第１２ページに関するデータＤ１２とを紐付ける。図１５（ｃ）に示すように、情報表示器Ｃ，Ｄ，Ｅに対して、再び、第１ページ〜第３ページのデータを割り当ててもよい。
【００７４】
次に、制御装置１２０は、ステップＳ１５において、所定の操作を待機する。例えば、ユーザによって、ページ捲りに関連する操作或いは表示するページを指定する操作がなされた場合であって、対象となるページが情報表示器Ａ〜Ｅに現在表示されていないページであったときには、操作に基づいてテーブルを選択する。
【００７５】
制御装置１２０は、選択されたテーブルに基づいて、ステップＳ１６において、所定の情報表示器Ａ，Ｂ，Ｃ，Ｄ，Ｅに所定の情報（Ｄ１、Ｄ２、Ｄ３、Ｄ４、Ｄ５）を表示するように各情報表示器を制御する。
【００７６】
例えば、ユーザが情報表示器Ｅに表示された第５ページの情報（Ｄ５）を閲覧しているとき、スイッチによるページ送り操作を行うと、テーブルＴ２が選択されて、テーブルＴ２に基づいて情報表示器Ａ，Ｂ，Ｃ，Ｄ，Ｅに順次情報（Ｄ６、Ｄ７、Ｄ８、Ｄ９、Ｄ１０）が表示される。その結果、情報表示器Ａに第６ページ目の情報（Ｄ６）が表示される。ユーザは、書籍のページを捲る要領で情報表示器Ａに戻ることによって、第６ページ目の情報（Ｄ６）を閲覧することができる。このとき、まだ閲覧途中の第５ページ目の情報（Ｄ５）を表示している情報表示器Ｅも書き換える対象となるが、書き換えるための描画データ信号を送信するタイミングを後の方に設定しておけば、書籍のページを捲る要領で情報表示器Ａに戻って、第６ページ目の情報（Ｄ６）を閲覧している間またはそれよりも後で情報表示器Ｅの表示が書き換わるので、第５ページ目の情報（Ｄ５）を閲覧途中で情報表示器Ｅの表示が書き換わることは避けられる。
【００７７】
また、第５ページ目の情報（Ｄ５）を閲覧途中で、第３ページ目の情報（Ｄ３）を閲覧したい場合は、書籍のページを捲る要領で情報表示器Ｃに戻って、第３ページ目の情報（Ｄ３）を閲覧することができる。
【００７８】
また、ユーザが情報表示器Ａに表示された第１１ページを閲覧しているとき、スイッチによるページを戻す操作を行うと、テーブルＴ２が選択されて、テーブルＴ２に基づいて情報表示器Ａ，Ｂ，Ｃ，Ｄ，Ｅに情報（Ｄ６、Ｄ７、Ｄ８、Ｄ９、Ｄ１０）が表示される。その結果、情報表示器Ｅには、第１０ページ目の情報（Ｄ１０）が表示される。
【００７９】
なお、ステップＳ１２において、５ページ以下と判定された場合（ステップＳ１２；ＮＯ）には、ステップＳ１３を経ることなく、ステップＳ１４が実行される。
【００８０】
（６−２）方法２
次に、方法２について説明する。方法２は、表示すべき情報を情報表示器Ａ〜Ｅに１ページ毎にずらして表示する。この方法では、情報表示器の各々に表示していた情報を１ページずつ入れ替えて表示する。この方法も、図１４を用いて説明した処理と同様の処理を適用できる。
【００８１】
制御装置１２０は、取得された情報を情報表示器において表示可能な情報量を超えない情報量を有する情報のグループに分割する。この方法では、第１ページから第５ページをグループＧ１に設定し、第２ページから第６ページをグループＧ２に設定し、第３ページから第７ページをグループＧ３に設定する。このように、１２ページ分の表示すべきデータのうち連続する５ページをひと纏まりとするグループに設定する。５ページの構成が１ページずつずれているように、複数のグループを作成する。
【００８２】
図１６（ａ）〜（ｃ）は、それぞれ方法２において作成されるテーブルＴ１，Ｔ２，Ｔ３を説明する図である。具体的には、具体的に、情報表示器Ａの識別番号（Ｋ１_１００００）と、第１ページに関するデータＤ１とを紐付ける。情報表示器Ｂの識別番号（Ｋ２_０１０００）と、第２ページに関するデータＤ２とを紐付ける。情報表示器Ｃの識別番号（Ｋ３_００１００）と、第３ページに関するデータＤ３とを紐付ける。情報表示器Ｄの識別番号（Ｋ４_０００１０）と、第４ページに関するデータＤ４とを紐付ける。情報表示器Ｅの識別番号（Ｋ５_００００１）と、第５ページに関するデータＤ５とを紐付ける。制御装置１２０は、これらグループＧ１に関する紐付けデータを１つのテーブルＴ１として記憶部に記憶する。
【００８３】
また、情報表示器Ａの識別番号（Ｋ１_１００００）と、第２ページに関するデータＤ２とを紐付ける。情報表示器Ｂの識別番号（Ｋ２_０１０００）と、第３ページに関するデータＤ３とを紐付ける。情報表示器Ｃの識別番号（Ｋ３_００１００）と、第４ページに関するデータＤ４とを紐付ける。情報表示器Ｄの識別番号（Ｋ４_０００１０）と、第５ページに関するデータＤ５とを紐付ける。情報表示器Ｅの識別番号（Ｋ５_００００１）と、第６ページに関するデータＤ６とを紐付ける。制御装置１２０は、これらグループＧ２に関する紐付けデータをテーブルＴ２として記憶部に記憶する。
【００８４】
また、情報表示器Ａの識別番号（Ｋ１_１００００）と、第３ページに関するデータＤ３とを紐付ける。情報表示器Ｂの識別番号（Ｋ２_０１０００）と、第４ページに関するデータＤ４とを紐付ける。情報表示器Ｃの識別番号（Ｋ３_００１００）と、第５ページに関するデータＤ５とを紐付ける。情報表示器Ｄの識別番号（Ｋ４_０００１０）と、第６ページに関するデータＤ６とを紐付ける。情報表示器Ｅの識別番号（Ｋ５_００００１）と、第７ページに関するデータＤ７とを紐付ける。制御装置１２０は、これらグループＧ３に関する紐付けデータをテーブルＴ３として記憶部に記憶する。
【００８５】
上述のようにして、ページを１つずつずらした全てのページのテーブルを作成する。この場合には、次のような表示方法が可能になる。例えば、ユーザが情報表示器Ｅに表示された第５ページの情報（Ｄ５）を閲覧しているとき、ページ送り操作を行うと、テーブルＴ２が選択されて、テーブルＴ２に基づいて情報表示器Ａ，Ｂ，Ｃ，Ｄ，Ｅに情報（Ｄ２、Ｄ３、Ｄ４、Ｄ５、Ｄ６）がそれぞれ表示される。その結果、閲覧中の情報表示器Ｅに第６ページ目の情報（Ｄ６）が表示される。ユーザは、書籍のページを捲る要領で情報表示器Ｅから情報表示器Ｄに戻ると、第５ページの情報（Ｄ５）を閲覧することができる。
【００８６】
また、例えば、情報表示器Ａにおいて第１ページの情報（Ｄ１）を見ている状態で、情報表示器Ａに指定したページを表示できる。ユーザが情報表示器Ａに第３ページを指定すると、情報表示器Ａに第３ページの情報（Ｄ３）が表示されて、情報表示器Ｂには第４ページの情報（Ｄ４）が、情報表示器Ｃには第５ページの情報（Ｄ５）が、情報表示器Ｄには第６ページの情報（Ｄ６）が、情報表示器Ｅには第７ページの情報（Ｄ７）がそれぞれ表示される。
【００８７】
このとき、ユーザが実行する、情報表示器Ａに第３ページを指定する操作入力にしたがって、制御装置１２０によって、テーブルＴ３（図１６（ｃ）参照）が選択される。制御装置１２０は、選択されたテーブルＴ３に基づいて、情報表示器Ａ，Ｂ，Ｃ，Ｄ，Ｅそれぞれに情報（Ｄ３、Ｄ４、Ｄ５、Ｄ６、Ｄ７）を表示する。
【００８８】
上述したいずれの方法においても、制御装置から情報表示器に送信される制御信号（表示情報を書換えるための描画データ信号）は、各情報表示器Ａ、Ｂ、Ｃ、Ｄ、Ｅへ順次送信され、情報表示器毎に表示情報が書換えられる。
【００８９】
例えば、情報表示器Ａに情報Ｄ１を表示させる場合、情報Ｄ１を表示させる描画データ信号に情報表示器Ａを識別する識別信号を含ませた制御信号が、各情報表示器Ａ、Ｂ、Ｃ、Ｄ、Ｅに送信される。情報表示器Ａでは、自身が備える判定回路において、送信された識別信号が、情報表示器Ａの識別情報（実施形態では、判定回路が備える絶縁部分と導通部分の配置パターンで決められている情報表示器Ａを特定する情報）と一致すると判定され、情報表示器Ａ自身の情報表示領域１１０ａに情報Ｄ１が表示される。情報表示器Ａ以外の他の情報表示器Ｂ〜Ｅでは、それぞれが備える判定回路において、送信された識別信号が、情報表示器Ｂ〜Ｅそれぞれの識別情報（実施形態では、判定回路が備える絶縁部分と導通部分の配置パターンで決められている情報表示器Ｂ〜Ｅを特定する情報）と一致しない判定され、情報表示器Ｂ〜Ｅの情報表示領域１１０ａには情報Ｄ１が表示されない。このような判定に基づく表示書換えが、情報表示器Ｂ〜Ｅにおいても順次なされて、全情報表示器Ａ〜Ｅに５ページ分の情報（Ｄ１、Ｄ２、Ｄ３、Ｄ４、Ｄ５）がそれぞれ表示される。
【００９０】
（７）作用・効果
実施形態として示す情報表示システム１００では、制御装置１２０に形成される複数の突出部１２１は、制御装置側連結機構を構成している。また、突出部１２１のうち導電性の部材を備えた突出部１２１のいくつかは、駆動回路２００ａ〜２００ｅを制御する制御信号を送信する制御信号送信部を構成している。制御信号送信部のいくつかは、制御信号に含まれる識別信号（情報表示器１１０を識別するために送信する信号）を送信する識別信号送信部１２３を構成し、他の制御信号送信部のいくつかは、描画データを含む描画データ信号を送信する描画データ信号送信部１２２を構成している。突出部１２１のいくつかは、電気的接続を行わずに、単に機械的接続を行うために用いることができる。この突出部は、導電性の部材を備えていなくてもよい。
【００９１】
情報表示器１１０に形成される判定回路３１０を構成し、電気的接続に供される導電性の部材を備えた孔部１１０ｈは、識別信号送信部と接続される識別信号受信部と、導通接続部とで構成され、ている。識別信号受信部と、導通接続部とはペアとなって配置され、絶縁部分１１３２（例えば切欠部３００）は、この導通接続部において形成される。この導通接続部において設ける絶縁部分１１３２は、１個でも複数個でもよく、配置個数と配置位置との組み合わせによって複数の配置パターンが形成される。識別信号受信部１１３となる導通部分（導通接続部）と、それ以外の導通部分（導通接続部）とのペアがＮ個ある判定回路では、〔２Ｎ（２のＮ乗）−１〕個の配置パターンが形成できる。図９に一例として導通接続部において形成される絶縁部分が１個の例を示したが、絶縁部分を複数（図９のように、例えば６個のＸＮＯＲ回路を備える判定回路構成では６個まで）形成することができ、図９のように、導通接続部において形成される絶縁部分を少なくとも備え、導通部分と絶縁部分の配置パターンが異なる６３（２６−１）個の情報表示器と、絶縁部分（切欠部）がない情報表示器を１個加えた６４個（２６）個、すなわち、Ｎ個のＸＮＯＲ回路を備える情報表示器においては、２Ｎ〔（２のＮ乗）〕個の情報表示器を備えた情報表示システムとすることができる。
【００９２】
情報表示システム１００では、識別信号受信部１１３１１３１ｂ、１１３１ｄ、１１３１ｆ、１１３１ｈ、１１３１ｊ、１１３１ｌで受信した識別信号と、絶縁部分１１３２（切欠部３００）と導通接続部１１３１ａ、１１３１ｅ、１１３１ｇ、１１３１ｈ、１１３１ｋとの配置パターンによって決まる識別情報と、を比較して一致しているか一致していないかを判定し、この識別信号とこの識別情報とが一致した情報表示器１１０に対してだけ駆動回路２００ａ〜２００ｅのアウトプットイネーブルが有効になり、制御信号（描画データ信号）に基づく出力が可能となる。そして、この識別信号とこの識別情報とが一致した情報表示器にだけ、この識別信号を含んだ制御信号（描画データ信号）に基づいた所定の情報（画像）を表示させることができる。
【００９３】
従って、制御装置１２０から送信された識別信号と一致した情報表示器１１０に所定の情報（画像）が表示される。また、情報表示システム１００は、「ページ」を構成する複数の情報表示器１１０が見開き状態か否かによらず、すなわち、冊子状の情報表示システム１００では、冊子を閉じたままで、所定の情報表示器１１０に対して、所定の情報（画像）を表示させることができる。
【００９４】
本実施形態に係る情報表示システム１００では、制御装置１２０は、連結された全ての情報表示器１１０の判定回路に識別信号を送信し、この識別信号と、情報表示器の番号を識別するための識別情報とが一致した情報表示器１１０が備える駆動回路２００ａ〜２００ｅのみアウトプットイネーブルが有効になる。この情報表示器の番号を識別するための識別情報は、識別信号受信部以外の導通部分において、絶縁部分（切欠部）の配置位置および絶縁部分（切欠部）の配置個数と、他の導通部分との組み合わせで決まる配置パターンとして与えられ、判定回路を構成する論理回路を使って、識別信号との一致または不一致を判定し、一致した場合にスイッチ３５０をオフ（ＯＦＦ）にして、制御装置１２０からの制御信号に対して、駆動回路２００ａ〜２００ｅのアウトプットイネーブルが有効になるように構成されている。
【００９５】
従って、制御装置１２０において、複数の情報表示器１１０との電気的な接続部を共通化することができる。これにより、制御装置１２０の突出部１２１に複数の情報表示器１１０に形成された孔部１１０ｈを挿通することによって情報表示器１１０を冊子状にすることができる。
【００９６】
また、情報表示システム１００は、取得した情報を複数の情報表示器Ａ〜Ｅにおいて表示可能な情報量を超えない情報量を有する情報のグループに分割し、複数のグループに含まれる情報を情報表示器Ａ〜Ｅの各々に割り当てたテーブルをグループ毎に作成し、グループを選択する信号が入力された際に、選択されたグループのテーブルに基づいて情報表示器Ａ〜Ｅの各々に情報を表示することにより、情報表示システム１００に表示しようとする情報のページ数がシステムに用意された情報表示器のページ数よりも多い場合であっても、全ての情報を効率よく、ユーザに閲覧可能にすることができる。
【００９７】
（８）連結機構の変形例
（８−１）変形例１
実施形態では、制御装置側連結機構は、突出部１２１であり、情報表示器側連結機構は、孔部１１０ｈであると説明した。制御装置側連結機構と情報表示器側連結機構との形態は変更可能である。
【００９８】
図１〜図３に示す構成では、ページを捲るようにして各情報表示器に表示された情報を閲覧するために、情報表示器１１０は、連結機構に沿って曲げられる、可撓性のあるものとするが、図１７〜図２０に示す構成では、情報表示器１１０を連結機構に沿って曲げなくてもページを捲るようにして各情報表示器に表示された情報を閲覧することができる。
【００９９】
図１７，１８は、制御装置側連結機構の変形例を説明する図である。図１７に示すように、留め具１３０が設けられる替わりに、外装体Ｃに湾曲部材１４０が取り付けられている。湾曲部材１４０の一方の端部１４０ａは、外装体Ｃに取り付けられている。また、湾曲部材１４０の他方の端部１４０ｂは、突出部１２１の固定されていない端部１２１ｆに当接されている。すなわち、湾曲部材１４０と突出部１２１とによって閉じられた環状構造が形成される。
【０１００】
湾曲部材１４０は、端部１４０ｂと突出部１２１の端部１２１ｆとが離間する方向に可動自在に構成されており、突出部１２１に挿通された情報表示器１１０は、リング（湾曲部材１４０と突出部１２１とによって閉じられた環状構造）から取り外すことができる。
【０１０１】
湾曲部材１４０は、導電性の材料で形成することができる。これにより、情報表示器１１０を、図１８における右側から左側に移動させた状態で、左側に位置する（すなわち、ユーザが見ていない）情報表示器１１０に対しても情報を表示させる処理を行うことができる。
【０１０２】
（８−２）変形例２
図１９は、制御装置側連結機構の別の変形例を説明する図である。図１９に示すように、湾曲部材１４０の一方の端部１４０ａは、回動機構１５０を介して外装体Ｃに取り付けられている。湾曲部材１４０は、回動機構１５０によって、図１９の矢印方向に回動することにより、端部１４０ｂと端部１２１ｆとが離間する。
【０１０３】
（９）連結機構の導通構造の変形例
情報表示システム１００では、突出部１２１（或いは変形例１，２として示した湾曲部材１４０）の一部分に電気を導通する構造が形成されていてもよい。図２０は、制御装置側連結機構において連結機構の電気を導通するための構造の変形例を説明する図である。図２１は、図２０に示すＤ−Ｄ線における断面図である。
【０１０４】
図２０には、変形例１として示した湾曲部材１４０と類似の形状を有する湾曲部材１６０が示されている。湾曲部材１６０は、絶縁性の材料で形成されており、絶縁性の材料の一部に導電性の材料１６１が配置されている。また、この変形例では、突出部１２１も絶縁性の材料で形成されており、突出部１２１の一部に導電性の材料１６２が配置されている。
【０１０５】
湾曲部材１６０及び突出部１２１において、導電性の材料１６１，１６２は、湾曲部材１６０と突出部１２１とによって形成される環状構造の内側の一部に配置される。
【０１０６】
図２２（ａ）、（ｂ）は、図１〜図３、図１７〜図２０に示す連結機構における情報表示器の孔部１１０ｈの構造として図８に示した孔部の変形例である孔部１７０を説明する平面図である。孔部１７０には、孔部１７０の中心に向けて電極の一部が突出している。孔部１７０の中心に向けて突出した電極（露出電極１７１という）は、制御装置側の突出部に配置された導電性の材料（図２１で示される例では、１６１，１６２）に対応する位置に形成されている。
【０１０７】
図２２（ａ）、図２２（ｂ）に示す点線で囲まれた領域Ｒは、電極が露出していない部分を示している。露出電極１７１は、図２１に示す絶縁性の突出部１２１及び絶縁性の湾曲部材１６０に配置された導電性の材料１６１，１６２に対応する位置に形成されている。
【０１０８】
以上説明したように連結機構における制御装置側の突出部１２１の主たる部分を絶縁性とし一部を導電性にした導通構造を構成することにより、情報表示器１１０に情報を表示する処理を実行している時などに、ユーザが隣接する突出部１２１（或いは変形例１，２として示した湾曲部材１４０）同士を同時に触れてしまったとしても、ショートを防止でき、情報を表示する処理を確実に実行することができる。
【０１０９】
（１０）情報表示器の概略構成
図２３は、本実施形態に係る情報表示システム１００及びこれに適用可能な情報表示器１１０の構成概要を説明する概略斜視図である。
【０１１０】
図２３に示すように、情報表示器１１０は、一対の電極（観察側電極１９１，背面側電極１９２）と、一対の基板（観察側基板１８１，背面側基板１８２）とを備える。一対の基板間には、ギャップ確保用隔壁１１９ａ及び粒子偏在抑制用隔壁１１９ｂ（図２３においては、いずれも不図示。図２５においては、ギャップ確保用隔壁と粒子偏在抑制用隔壁とを兼用する隔壁としてギャップ確保用隔壁を示している）とが設けられる。
【０１１１】
また、情報表示器１１０は、電極を介して、電気的に駆動する表示メモリ性を有する表示媒体１１６を配置した表示媒体層１１５を備える。情報表示器１１０は、さらに駆動回路２００ａ〜２００ｅを備え、駆動回路２００ａ〜２００ｅ（図２３において不図示、図２の２００参照）による制御に基づいて、情報表示器１１０の情報表示領域１１０ａに所望の情報を画像として表示する。
【０１１２】
観察側基板１８１は、情報表示領域１１０ａ側、つまり、観察される側に配置される少なくとも情報表示領域１１０ａが透明な基板である。背面側基板１８２は、観察側基板１８１と対向し、情報表示器１１０の背面１１０ｂ側に設けられる。観察側基板１８１及び背面側基板１８２は、一対の電極（観察側電極１９１，背面側電極１９２）の外側に設けられる。なお、観察側基板１８１及び背面側基板１８２の厚みは、２５μｍ〜２，０００μｍが好ましく、より好ましくは、２５μｍ〜５００μｍであり、さらに好ましくは、２５μｍ〜２００μｍである。
【０１１３】
観察側基板１８１及び背面側基板１８２の材料としては、ポリエチレンテレフタレート（ＰＥＴ）、ポリエチレンナフタレート（ＰＥＮ）、ポリエーテルサルフォン（ＰＥＳ）、ポリエチレン、ポリカーボネート、ポリイミド、アクリル樹脂などの高分子材料や、ガラス、石英、硬質プラスチックなどが挙げられる。
【０１１４】
ポリエチレンテレフタレート、ポリエチレンナフタレートをはじめ、上述した高分子材料は可撓性を有するため、情報表示器１１０に可撓性を持たせる場合には、観察側基板１８１及び背面側基板１８２を形成する材料として好ましい。ここで、本発明に係る情報表示領域１１０ａにおいては、観察側基板１８１及び背面側基板１８２は、情報表示システム全体を軽量で薄型にするためできるだけ薄くしたいが、製造時のハンドリングの点を考慮して、それぞれの厚みは２５μｍ以上とされている。
【０１１５】
また、観察側基板１８１及び背面側基板１８２を形成する材料としてガラスを使用した場合には、２００μｍ以下の厚みとすれば可撓性を有するため、情報表示器１１０に可撓性を持たせる場合には好ましい。さらには、アルミニウム、銅、ニッケルや、これらの合金、ステンレスなどの金属材料も可撓性を有するため、情報表示器１１０に可撓性を持たせる場合には、観察側基板１８１及び背面側基板１８２の材料として使用することができるが、基板に形成する電極間で漏電することを防ぐために表面を絶縁体の膜やシートで被覆する必要がある。
【０１１６】
背面側基板１８２は、必ずしも透明でなくてもよいため、上述した材料のなかから透明でないものを選択して用いることができる。
【０１１７】
観察側電極１９１は、情報表示領域１１０ａ側、つまり、観察される側に配置される透明な電極である。背面側電極１９２は、観察側電極１９１と対向し、情報表示器１１０の背面１１０ｂ側に設けられる。背面側電極１９２は、必ずしも透明でなくてもよい。観察側電極１９１及び背面側電極１９２を構成する導電性材料としては、（ｉ）酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物(ＡＴＯ)、導電性酸化錫、導電性酸化亜鉛などの導電金属酸化物類、（ｉｉ）ポリアニリン、ポリビロール、ポリチオフェン（例えば、ＰＥＤＯＴ：ＰＳＳ）などの導電性高分子類、（ｉｉｉ）金、銀、銅、アルミニウム、ニッケル、クロムなどの金属、（ｉｖ）これらの金属を主成分とする合金が挙げられる。
【０１１８】
観察側電極１９１及び背面側電極１９２の形成方法としては、上述した導電性材料をスパッタリング法、真空蒸着法、ＣＶＤ（化学蒸着）法、塗布法などで薄膜状に形成する方法や、金属箔（例えば、圧延銅箔）をラミネートする方法、導電剤を溶媒や合成樹脂バインダーに混合して塗布する方法を用いることができる。なお、観察側電極１９１及び背面側電極１９２の厚みは、導電性が確保できればよく、０．０１μｍ〜１０μｍが好ましく、０．０５μｍ〜５μｍがより好ましい。なお、ＩＴＯなどの金属酸化物系の導電性材料は、金属材料に比べて可撓性が小さいため、これら金属酸化物系の導電性材料を用いて観察側電極１９１及び背面側電極１９２を構成する場合には、断線防止のため、可撓性に優れる銅、アルミニウム、ニッケルや、これらの合金などの金属細線を併用することが好ましい。
【０１１９】
ギャップ確保用隔壁１１９ａは、一対の基板間に設けられ、一対の基板間のギャップを確保するために設けられる。また、ギャップ確保用隔壁１１９ａは、情報表示領域１１０ａにおいては、一対の基板間に配置した表示媒体１１６が後述するセル１３２内において偏ることを抑制する粒子偏在抑制用隔壁１１９ｂとしても機能する。従って、以下の説明において、ギャップ確保用隔壁が粒子偏在抑制用隔壁も兼ねる場合、すなわち同一の構成である場合には、ギャップ確保用隔壁と表現する。隔壁がギャップ確保機能を有しないで粒子偏在抑制機能だけを有し、ギャップ確保用隔壁と異なる構成の場合は、粒子偏在抑制用隔壁と表現する。（図２５参照）
ギャップ確保用隔壁１１９ａの形成材料としては、レジスト材を用いることができ、例えば、アルフォＮＩＴ２（ニチゴーモートン社製）やＰＤＦ３００（新日鐵化学社製）などのドライフィルムレジスト材が挙げられる。また、ギャップ確保用隔壁１１９ａは、例えば、一方の基板上にドライフィルムレジスト材を積層した後、フォトリソグラフィー技術を用いて格子状またはハニカム状の隔壁に形成され、全ての隔壁上面と他方の基板とが接合されることによって、一対の基板の双方に接合されている。本実施形態では、ギャップ確保用隔壁１１９ａは、観察側基板１８１に形成された後、背面側基板１８２に接合されている。なお、ギャップ確保用隔壁１１９ａを、背面側基板１８２に形成した後、観察側基板１８１に接合することもできる。
【０１２０】
ギャップ確保用隔壁１１９ａは、ギャップに対応する厚みを有するとともに、表示媒体１１６を収納するための凹部、またはシートを貫通する孔部が形成されているシート部材とすることもできる。この場合、シートを一対の基板間に挟むように配置した後、シートの両面とそれぞれの基板とを接合することによって、ギャップ確保用隔壁１１９ａは形成される。
【０１２１】
表示媒体１１６は、観察側電極１９１と背面側電極１９２との間に封入される。表示媒体１１６は、電極を介して電気的に観察側電極１９１と背面側電極１９２との間で駆動する。本実施形態では、表示媒体１１６は、負帯電性白色粒子を含んだ粒子群と正帯電性黒色粒子を含んだ粒子群との二種類の帯電特性及び光学的反射率を有する粒子群で構成され、電極を介して形成される電界によってそれぞれ反対の基板側（電極側）に移動する。表示媒体１１６の詳細については、後述する。
【０１２２】
図２４は、情報表示システム１００の機能ブロック構成図である。図２４に示すように、情報表示器１１０は、少なくともアウトプットを無効にする機能を有するとともに情報表示部を駆動させる機能を有する駆動回路２００ａ〜２００ｅを備えており、情報表示器１１０には、制御装置のＣＰＵ２０、グラフィックコントローラ３０が接続される。
【０１２３】
ＣＰＵ２０は、所定のフォーマットに従った情報の画像データをグラフィックコントローラ３０に出力する。グラフィックコントローラ３０は、ＣＰＵ２０から出力された描画データ信号（制御信号）に基づいて駆動回路２００ａ〜２００ｅを制御する。駆動回路２００ａ〜２００ｅは、グラフィックコントローラ３０による制御に基づいた制御信号に従って観察側電極１９１及び背面側電極１９２に所定の電圧を印加する。
【０１２４】
本実施形態では、観察側電極１９１及び背面側電極１９２は、複数のストライプ電極によって構成される。観察側電極１９１と背面側電極１９２とは、互いに直交するように設けられる。なお、観察側電極１９１と背面側電極１９２とは交差していればよく、直交することに限られない。このようなストライプ電極を用いた観察側電極１９１と背面側電極１９２の制御方法としては、公知の方法（例えば、特開２００８−２６８６５０号公報参照）を用いることができる。なお、図２４では、観察側基板１８１、背面側基板１８２及び表示媒体１１６は省略されている。
【０１２５】
図２５は、情報表示器１１０の一部分解斜視図である。図２５に示すように、ギャップ確保用隔壁１１９ａは、複数のセル１３２を形成する。セル１３２のそれぞれには、表示媒体１１６が配置、好ましくは、封入される。ギャップ確保用隔壁１１９ａは、上述したように、観察側電極１９１と背面側電極１９２との間に配置される。
【０１２６】
離隔して設けられた観察側電極１９１と背面側電極１９２との間に形成された空間の外側、つまり、ギャップ確保用隔壁１１９ａの情報表示領域１１０ａ側及び背面１１０ｂ側には、観察側基板１８１と背面側基板１８２とが設けられる。具体的には、ギャップ確保用隔壁１１９ａの情報表示領域１１０ａ側には観察側基板１８１が設けられ、背面１１０ｂ側には背面側基板１８２が設けられる。
【０１２７】
図２５に示すセル１３２は、情報表示器１１０の平面視において、略四角形であり、ギャップ確保用隔壁１１９ａの縦方向及び横方向に連続して形成される。本実施形態では、セル１３２は、縦方向及び横方向に延在する直線状のギャップ確保用隔壁１１９ａによってマトリックス状に形成される。セル１３２は、六角形にしてハニカム構造で配置することもできる。
【０１２８】
実施形態では、図２５に示すように、表示媒体１１６は、表示媒体１５１と表示媒体１５２とを含む。表示媒体１５１は、黒色の正帯電性粒子を含む粒子群である。表示媒体１５２は、白色の負帯電性粒子を含む粒子群である。表示媒体１５１及び表示媒体１５２の二種類の表示媒体が、それぞれのセル１３２に配置される。
【０１２９】
表示媒体１５１とする黒色粒子群は、次のように製造することができる。（ｉ）メチルメタクリレートモノマー（関東化学試薬）６０重量部、及び１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ポントロンＮｏ７：オリエント化学製）３重量部、及び黒色顔料として、カーボンブラック（スペシャルブラック：デグッサ製）５重量部をサンドミルにより分散させ、（アクリル系及びメタクリル系樹脂）−炭化水素系樹脂ブロックコポリマー（モディバーＦ６００：日本油脂製）５重量部を溶解させる。（ｉｉ）２重量部のラウリルパーオキサイド（パーロイルL：日本油脂製）を溶解させた液を、界面活性剤としてポリオキシエチレンアルキルエーテル硫酸ナトリウム（ラテムルＥ−１１８Ｂ：花王製）を０．５％添加した精製水に（ｉ）の生成物を懸濁、重合させ、濾過、乾燥させる。（ｉｉｉ）分級機（ＭＤＳ−２：日本ニューマチック工業性）を用いて（ii）の生成物を分級して平均粒子径９．２μｍの正帯電性の黒色粒子群を得る。
【０１３０】
また、表示媒体１５２とする白色粒子群は、次のように製造することができる。（ｉ）ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ポントロンＥ８９：オリエント化学製）５重量部とを、２軸混練機により溶融混練する。（ｉｉ）ジェットミル（ラボジェットミルＩＤＳ−ＬＪ型：日本ニューマチック工業製）で（ｉ）の生成物を細かく粉砕し、分級機（ＭＤＳ−２：日本ニューマチック工業製）を用いて分級する。（ｉｉｉ）溶融球状化装置（ＭＲ−１０：日本ニューマチック工業製）を用いて（ｉｉ）の生成物を溶融球状化した後さらに分級して、平均粒子径が９．５μｍの負帯電性の白色粒子群を得る。
【０１３１】
（１１）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例が明らかとなる。例えば、本発明の実施形態は、次のように変更することができる。
【０１３２】
実施形態では、突出部１２１は、略円柱形状であって、断面形状が円形であると説明しているが、突出部１２１の断面は円形でなくてもよい。楕円、角形であってもよい。突出部１２１と孔部１１０ｈに形成された電極との接触面積を確保するためには、円形であることが好ましい。
【０１３３】
絶縁部分は、切り欠きであると説明したが、制御装置１２０と情報表示器１１０とが物理的に連結された際に、絶縁が確保できる構成であればよく、切欠部３００に限定されない。情報表示器１１０の判定回路３１０において駆動回路２００ａ〜２００ｅまでの間の導線に設けた断線部分によって絶縁部分が形成されていてもよい。
【０１３４】
実施形態では、情報表示器１１０の一方の面が観察側であると説明した。しかし、２枚の情報表示器１１０の背面側基板１８２同士を貼り合わせて一体化することによって、表裏に観察面を有する情報表示器を構成してもよい。この場合、貼り合わされる２枚の情報表示器の絶縁部分（例えば、切欠部）は配置位置や配置個数を異なるようにした配置パターン（識別情報）で形成されることは上述の通りである。このような構成の情報表示器１１０では、表側の１ページと裏側の１ページとで２ページを構成することになる。
【０１３５】
表示媒体１１６は、白色表示媒体及び黒色表示媒体に限られず、他の色の表示媒体であってもよい。また、表示媒体は、対向する電極間に印加した電圧で駆動し、電源からの給電を切断しても表示した情報が保持できる表示メモリ性があるものであればよい。
【０１３６】
例えば、帯電性粒子を含んだ粒子群を透明な絶縁液体中で駆動させる、マイクロカプセル型の電気泳動方式の情報表示器であってもよい。
【０１３７】
また、帯電性粒子を含んだ粒子群を有色の絶縁液体中で駆動させるタイプであってもよい。このタイプは、例えば、負帯電性白色粒子で構成した白色表示媒体が、青色のパラフィンオイルなどの有色の絶縁液体とともに隔壁で形成したセル内に封入されている。
【０１３８】
更に、情報表示器としては、半分ずつ２色かつ異帯電極性に構成した球状粒子を表示媒体として使用するタイプ（例えば、マイクロカプセル内で回転駆動させるツイストボール方式）やコレステリック液晶を駆動させるタイプを使用することができる。なかでも、粒子群を気体中（真空中を含む）で駆動させる方式は、駆動応答速度が速く、表示メモリ性にも優れているので好ましい。
【０１３９】
また、本実施の形態では、駆動回路と情報表示器とを一体化しているが、駆動回路と情報表示器とを着脱自在に構成してもよい。なお、駆動回路と情報表示器とを一体化しない場合においては、駆動回路と情報表示器を電気的かつ物理的に着脱自在に接続する接続手段を設ける必要がある。この接続手段の構成としては、例えば、情報表示器と駆動回路のうち一方に凹型接続端子部を設け、この凹型接続端子部と噛み合う凸型接続端子部を設け、凹型接続端子部と凸型接続端子部との嵌合によって駆動回路と情報表示器を電気的かつ物理的に着脱自在に接続する構成を例示できる。また、他の接続手段の構成としては、情報表示器と駆動回路のうち一方に凸型端子部を設け、この凸型端子部が挿入可能な円形孔、十文字形状をしたスリット孔、円形孔と十文字スリット孔を組合せた孔、円形孔と三方スリット孔を組合せた孔、複数のスリット孔を星型に集合させた孔、星型の孔を有する受け部を設ける構成を例示できる。更に、接続手段を合わせて、情報表示器に駆動回路を装着する際のガイドとなるガイド部材や、互いの位置決めを行うための位置決め部材を設けることが望ましい。
【０１４０】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【産業上の利用可能性】
【０１４１】
本発明の対象となる情報表示システムは、情報を表示する表示部（表示画面）が複数の情報表示器によって構成される。各情報表示器の表示部の表示書き換えは個別になされる。各情報表示器の表示部に配置した表示媒体は表示メモリ性を有するので、書き換えの処理をしない間は、その表示が維持される。よって、例えば３２枚の情報表示器を綴じた構成にした場合に、３２個の表示部それぞれに１ページ分の情報を表示させておき、１ページ目から順次ページを捲る要領で情報表示器を捲って、３２ページ目まで読んでいくような、これまでの読書と変わらない感覚で書籍（本）を読むことができる。３２ページ目まで読んだら表示を書き換えて、次の３３ページ目から６４ページ目までを表示させて、３３ページ目から順次ページを捲る要領で情報表示器を捲って、６４ページ目まで読んでいくという動作を最後のページまで繰り返すだけでよい。
【０１４２】
情報表示器を総厚で１００μｍ〜５００μｍ程度の薄型にすることもでき、この場合には３２枚重ねて綴じても１５ｍｍ程度の厚さの書籍型の情報表示システムとなり、携帯性においても従来の書籍と遜色がないものとなる。このような読書用の情報表示システムとする場合は、表示する文字の大きさを１０〜１１ポイント程度とし、ページサイズ（表示画面サイズ）をＡ５判〜Ａ４判程度とし、１ページ分の情報として分割するようにしておくと読みやすくなる。
【０１４３】
このように、本発明の対象となる情報表示システムは、記憶部から読み出した情報を１ページ分ずつ各ページに表示させた後、各ページを閲覧できる書籍のようにできるため、各教科の情報を記憶部に収納しておき、必要な教科の情報を全ページに表示させた教科書とすることができる。この場合、１冊の教科書用情報表示システムがあれば、全教科の教科書とすることができ、授業のために持ち歩く教科書の数を減らすことができる。例えば、国語の授業で、教科書の２０ページから３０ページまでの範囲を閲覧する場合には、本システムにおいて、国語の教科書のデータを呼び出して、２０ページから３０ページまでの１１ページ分表示させ、授業で必要なページを捲って閲覧するような使い方ができる。
【符号の説明】
【０１４４】
２０…ＣＰＵ、  ３０…グラフィックコントローラ、  １００…情報表示システム、  １１０…情報表示器、  １１０ａ…情報表示領域、  １１０ｂ…背面、  １１０ｈ…孔部、  １１５…表示媒体層、  １１６…表示媒体、  １１７…電極、  １１７ａ…露出部、  １１８…絶縁膜、  １１９ａ…ギャップ確保用隔壁、  １１９ｂ…粒子偏在抑制用隔壁、  １２０…制御装置、  １２１…突出部、  １２１ｆ…端部、  １２２…描画データ信号送信部、１２３ｂ、１２３ｄ、１２３ｆ、１２３ｈ、１２３ｊ、１２３ｌ…識別信号送信部、  １２４ａ、１２４ｃ、１２４ｅ、１２４ｇ、１２４ｉ、１２４ｋ…導通接続部、  １３０…留め具、    １３２…セル、  １４０…湾曲部材、  １４０ａ…端部、  １４０ｂ…端部、  １５０…回動機構、  １５１…表示媒体、  １５２…表示媒体、  １６０…湾曲部材、  １６１，１６２…導電性の材料、  １７０…孔部、  １７１…露出電極、  １８１…観察側基板、  １８２…背面側基板、  １９１…観察側電極、  １９２…背面側電極、  ２００ａ〜２００ｅ…駆動回路、  ２１１…情報取得部、  ２１２…ページ数判定部、  ２１３…グルーピング部、  ２１４…テーブル作成部、  ２１５…テーブル選択部、  ２１６…表示制御部、  ２２０…記憶部、  ３００…切欠部、  ３１０…判定回路、３１１…ＸＮＯＲ回路、  ３１２…ＮＡＮＤ回路、  ３５０…スイッチ、  ３２０ａ〜３２０ｅ…アウトプットイネーブル用ライン、  １１２０…描画データ信号受信部、  １１３１ｂ、１１３１ｄ、１１３１ｆ、１１３１ｈ、１１３１ｊ、１１３１ｌ…識別信号受信部、  １１３１ａ、１１３１ｃ、１１３１ｅ、１１３１ｇ、１１３１ｉ、１１３１ｋ…導通接続部、  １１３２…絶縁部分、  Ｃ…外装体、  Ｃａ…載置部、  Ｒ…領域
【図１】
2013003464.tif 000003
【図２】
2013003464.tif 000004
【図３】
2013003464.tif 000005
【図４】
2013003464.tif 000006
【図５】
2013003464.tif 000007
【図６】
2013003464.tif 000008
【図７】
2013003464.tif 000009
【図８】
2013003464.tif 000010
【図９】
2013003464.tif 000011
【図１０】
2013003464.tif 000012
【図１１】
2013003464.tif 000013
【図１２】
2013003464.tif 000014
【図１３】
2013003464.tif 000015
【図１４】
2013003464.tif 000016
【図１５】
2013003464.tif 000017
【図１６】
2013003464.tif 000018
【図１７】
2013003464.tif 000019
【図１８】
2013003464.tif 000020
【図１９】
2013003464.tif 000021
【図２０】
2013003464.tif 000022
【図２１】
2013003464.tif 000023
【図２２】
2013003464.tif 000024
【図２３】
2013003464.tif 000025
【図２４】
2013003464.tif 000026
【図２５】
2013003464.tif 000027